(57)【要約】      （修正有）【課題】装着する際に、着用者の身体にフィットさせることが容易で、漏れが生じにくく、着用者の体動が激しい場合や、着用者が立っている状態でおむつを装着する場合であっても、装着が容易なおむつを提供する。【解決手段】おむつの背側の両側部に外方へ突出するファスニング基材シート８が設けられ、基材シートの内面に止着手段５が設けられ、止着手段を介して、基材シートをおむつの腹側外表面に止着でき、基材シートの先端側から基端側へ向かって、先端側開口部１１および基端側開口部１８が設けられ、基材シートの先端部が、止着手段と先端側開口部との間で内側へ折り曲げられ、折り曲げられた基材シートが、先端側開口部と基端側開口部との間で外側へさらに折り曲げられ、先端側開口部および基端側開口部の少なくとも一部が重なり合い、重なった開口部分から臨む止着手段を介して、基材シートをおむつの腹側外表面に仮止めできる使い捨ておむつ。【選択図】図１０
2014193208.tif 000002
【特許請求の範囲】
【請求項１】
おむつの背側の両側部に外方へ突出するファスニング基材シートが設けられるとともに、前記基材シートの内面に粘着剤層又は面ファスナー要素を含む止着手段が設けられ、前記止着手段を介して、前記基材シートをおむつの腹側外表面に止着するようにした使い捨ておむつであって、
前記基材シートには、基材シートの先端側から基端側へ向かって、先端側開口部および基端側開口部が設けられ、
前記基材シートの先端部が、前記止着手段と先端側開口部との間で内側へ折り曲げられ、
折り曲げられた前記基材シートが、前記先端側開口部と基端側開口部との間で外側へさらに折り曲げられることで、
先端側開口部および基端側開口部の少なくとも一部が重なり合い、
その重なり合った開口部分から臨む止着手段を介して、前記基材シートをおむつの腹側外表面に仮止め可能にしたことを特徴とする使い捨ておむつ。
【請求項２】
前記基材シートを折り畳んだ状態において、基材シートを外側へ折り曲げたときに生じる折り曲げ線から、基材シートの先端がはみ出る構成とした請求項１記載の使い捨ておむつ。
【請求項３】
前記先端側開口部および基端側開口部は、先端側開口部と基端側開口部との間の折り曲げ線へ向かって凸形状となる三角形、または円形からなる請求項１または２記載の使い捨ておむつ。
【請求項４】
先端側開口部および基端側開口部の重なり合った開口部分から臨む止着手段の係合力を、他の部分の係合力よりも強くした請求項１〜３のいずれか１項に記載の使い捨ておむつ。
【請求項５】
前記先端側開口部および基端側開口部は、基材シートに形成された打ち抜きを折り曲げることによって形成される請求項１〜４のいずれか１項に記載の使い捨ておむつ。
【請求項６】
前記打ち抜きは、基材シートの先端側から基端側へ向かって凸形状となるように形成され、
前記打ち抜きの先端側端部が、基材シートを折り曲げたときに生じる折り曲げ線と接している、または前記折り曲げ線を越えて先端側へ延在している請求項５記載の使い捨ておむつ。
【発明の詳細な説明】
【技術分野】
【０００１】
本発明は、おむつの背側の両側部に設けたファスニングテープをおむつの腹側表面に止着することによって着用者に装着する使い捨ておむつ（以下、「テープ式おむつ」という。）に関するものである。
【背景技術】
【０００２】
テープ式おむつの一般的な装着手順は、以下のとおりである。
まず、第三者（介護者等）が、おむつを着用する者（被介護者等）を仰向けに寝かす。そして、着用者の背中と寝具等の間に、おむつの背側部分を挿入する。そうすると、挿入されたおむつは、着用者の体重によって動きにくくなるため、その後の装着作業が容易になる。
【０００３】
次に、おむつの腹側部分を持ち上げて、着用者の腹部に当接させる。このおむつの腹側部分の外表面には、ターゲットテープが設けられている。その後、おむつの背側の側部に設けたファスニングテープを持ち上げて、前記ターゲットテープと当接させる。ファスニングテープの内側には係合部材が設けられており、この係合部材を介して、ファスニングテープがターゲットテープに止着する。
【０００４】
前記のように、着用者を仰向けに寝かせた状態でおむつを装着するのは、比較的容易である。しかし、このような場合であっても、着用者の体動が激しいときは、着用者の背中と寝具等の間に挿入したおむつが動き、位置ずれが生じやすいため、装着するのが困難となる。また、着用者が比較的元気であり、着用者が起立した状態でおむつを装着する場合は、おむつがどこにも固定されていないため、第三者自身がおむつを装着位置から動かないように保持しながら、装着を行わなければならず、装着が困難である。
【０００５】
前述のように装着が困難な場合は、ターゲットテープの適切な位置にファスニングテープを止着しづらい。その結果、おむつを装着した際のフィット性が悪くなり、着用者の身体とおむつの間に生じた隙間から体液が漏れやすい。
【０００６】
また、従来のテープ式おむつは、着用者の体動などによって、ファスニングテープが簡単に剥がれてしまうことを防止するため、ファスニングテープが最初に止着した時から、強い係合力が発揮されるようになっている。そのため、ターゲットテープの不適切な位置にファスニングテープを止着してしまった後、そのファスニングテープを適切な位置に付けなおすために、ファスニングテープを引き剥がす際、強い力が必要となる。また、ファスニングテープを強い力で引っ張ると、おむつに意図しない変形が生じることがある。
【０００７】
このような問題点を解決するため、例えば特許文献１の発明が開示されている。この特許文献１の発明に係るおむつは、おむつの両側縁部にファスニングテープを設け、その一対のファスニングテープの間に、おむつ幅方向に弾性伸縮する伸縮部を設けている。このような構成にしたことにより、おむつを装着する際に、ファスニングテープ同士間を容易に伸長させることができ、ファスニングテープの付け直しや仮止めを容易にすることができる。また、特に、着用者が立った状態で装着する場合の装着性及び漏れ防止性能に優れている。
【０００８】
また、前述の問題点を解決するための発明ではないが、特許文献２のような発明も開示されている。特許文献２の発明に係るおむつは、おむつの両側縁部に一対のファスニング部材が設けられ、前記一対のファスニング部材の少なくとも一方に、係止部材がターゲットテープに付着した状態においてターゲットテープと重なる位置に、開口部又は開くことにより開口部となる切れ込みが設けられている。このような構成にしたことにより、例えば着用者の体型が痩せ型である場合に、一方のファスニング部材の上に、他方のファスニング部材を重ねて、しっかりと止着することができる。
【０００９】
しかし、前記特許文献１の発明は、前記伸縮部を形成するために、多数の胴回り部弾性部材を該当箇所に貼り付けなければならず、資材数が増えて生産コストが嵩むという問題がある。また、前記特許文献２の発明では、前述問題点を何も解決することができない。
【先行技術文献】
【特許文献】
【００１０】
【特許文献１】特許第４０８６５７６号公報
【特許文献２】特開２０１１−１０８２２号公報
【発明の概要】
【発明が解決しようとする課題】
【００１１】
そこで、本発明の主たる課題は、装着する際に、着用者の身体にフィットさせることが容易で、漏れが生じにくいおむつを提供することにある。また、着用者の体動が激しい場合や、着用者が立っている状態でおむつを装着する場合であっても、装着が容易なおむつを提供することにある。
【課題を解決するための手段】
【００１２】
上記課題を解決した本発明は次記のとおりである。
＜請求項１記載の発明＞
おむつの背側の両側部に外方へ突出するファスニング基材シートが設けられるとともに、前記基材シートの内面に粘着剤層又は面ファスナー要素を含む止着手段が設けられ、前記止着手段を介して、前記基材シートをおむつの腹側外表面に止着するようにした使い捨ておむつであって、
前記基材シートには、基材シートの先端側から基端側へ向かって、先端側開口部および基端側開口部が設けられ、
前記基材シートの先端部が、前記止着手段と先端側開口部との間で内側へ折り曲げられ、
折り曲げられた前記基材シートが、前記先端側開口部と基端側開口部との間で外側へさらに折り曲げられることで、
先端側開口部および基端側開口部の少なくとも一部が重なり合い、
その重なり合った開口部分から臨む止着手段を介して、前記基材シートをおむつの腹側外表面に仮止め可能にしたことを特徴とする使い捨ておむつ。
【００１３】
（作用効果）
止着手段の全面をおむつの腹側外表面に止着して仮止めを行うと、その後、止着手段を剥がすときに強い力を要するという問題がある。そこで、基材シートに開口部を設け、基材シートを折り曲げて、止着手段の一部が開口部から臨むようにした。そして、開口部から臨む止着手段をおむつの腹側外表面に止着して、仮止めを行うこととした。このとき、止着手段の開口部から臨まない部分は、基材シートに覆われているため、おむつの腹側外表面と止着しない。そのため、止着手段の全面を用いて仮止めを行った場合よりも、止着手段を剥がすために要する力が少なくなる。
【００１４】
前記の仮止めを行うことで、着用者の身体に対するおむつの装着位置を大まかに決めることができる。そして、この仮止めをした状態から、基材シートの先端側を持って引っ張ることで、止着手段が剥がれるとともに、折り曲げられていた基材シートが、折り曲げる前の真っ直ぐな状態に戻る。この状態になった基材シートをおむつの腹側外表面の適切な位置に止着して、本止めを行う。前記の仮止めを経て行った本止めは、基材シートが適切な位置に止着しているため、おむつが着用者の身体にフィットし、漏れが生じにくい。また、止着手段の全面を用いて本止めを行うことにより、基材シートが剥がれにくくなり、装着したおむつが意図せずに外れてしまうことを防ぐことができる。
【００１５】
＜請求項２記載の発明＞
前記基材シートを折り畳んだ状態において、基材シートを外側へ折り曲げたときに生じ
る折り曲げ線から、基材シートの先端がはみ出る構成とした請求項１記載の使い捨ておむつ。
【００１６】
（作用効果）
仮止めをした状態から、基材シートの先端側を引っ張って仮止めを解く際に、基材シートの先端が折り曲げ線からはみ出ていることで、基材シートを摘まみやすくなる。
【００１７】
＜請求項３記載の発明＞
前記先端側開口部および基端側開口部は、先端側開口部と基端側開口部との間の折り曲げ線へ向かって凸形状となる三角形、または円形からなる請求項１または２記載の使い捨ておむつ。
【００１８】
（作用効果）
先端側開口部および基端側開口部の形状を前記の三角形にすることで、仮止めを剥がしやすくなる。
一方、開口部の形状を円形にすることで、開口部から周辺部へ向かって、破れが生じることを防ぐことができる。
【００１９】
＜請求項４記載の発明＞
先端側開口部および基端側開口部の重なり合った開口部分から臨む止着手段の係合力を、他の部分の係合力よりも強くした請求項１〜３のいずれか１項に記載の使い捨ておむつ。
【００２０】
（作用効果）
前記開口部分から臨む止着手段の係合力を強くしたことで、仮止め時の止着力が強まり、基材シートが意図せずに剥がれることを防ぐことができる。
【００２１】
＜請求項５記載の発明＞
前記先端側開口部および基端側開口部は、基材シートに形成された打ち抜きを折り曲げることによって形成される請求項１〜４のいずれか１項に記載の使い捨ておむつ。
【００２２】
（作用効果）
基材シートに開口部を形成する際、開口部の全周を打ち抜くと、打ち抜かれた部分がゴミとなる。そこで、開口部の一部分を打ち抜き、その打ち抜いた部分を折り曲げることで、ゴミの発生を抑えることができる。
【００２３】
＜請求項６記載の発明＞
前記打ち抜きは、基材シートの先端側から基端側へ向かって凸形状となるように形成され、
前記打ち抜きの先端側端部が、基材シートを折り曲げたときに生じる折り曲げ線と接している、または前記折り曲げ線を越えて先端側へ延在している請求項５記載の使い捨ておむつ。
【００２４】
（作用効果）
打ち抜きの先端側端部が折り曲げ線まで達していない場合は、基材シートを折り曲げたときに、基材シートの弾力により、折り曲げた部分が折り曲げる前の状態へ戻ってしまう可能性が高い。打ち抜きの先端側端部を折り曲げ線まで達するようにすることで、このような不具合を解消することができる。
【発明の効果】
【００２５】
以上のとおり本発明によれば、ファスニング基材シートをおむつの腹側外表面の適切な位置に止着することができる。そのため、おむつが着用者の身体にフィットし、漏れが生じにくくなる。また、着用者の体動が激しい場合や、着用者が立っている状態でおむつを装着する場合であっても、装着が容易となる。
【図面の簡単な説明】
【００２６】
【図１】本発明に係る使い捨ておむつをトップシート側から見た一部破断平面図である。
【図２】図１の基材シート部分の拡大図である。
【図３】図２の基材シートの先端部を、止着手段と先端側開口部との間で内側へ折り曲げたときの図である。
【図４】図３の折り曲げられた前記基材シートを、先端側開口部と基端側開口部との間で外側へさらに折り曲げたときの図である。
【図５】図２のＡ−Ａ部分の断面図である。
【図６】図３のＢ−Ｂ部分の断面図である。
【図７】図４のＣ−Ｃ部分の断面図である。
【図８】図２の斜視図である。
【図９】図３の斜視図である。
【図１０】図４の斜視図である。
【図１１】他の実施例に係る基材シート部分の拡大図である。
【図１２】図１１の基材シートの先端部を、止着手段と先端側開口部との間で内側へ折り曲げたときの図である。
【図１３】図１２の折り曲げられた前記基材シートを、先端側開口部と基端側開口部との間で外側へさらに折り曲げたときの図である。
【図１４】図１１のＤ−Ｄ部分の断面図である。
【図１５】図１２のＥ−Ｅ部分の断面図である。
【図１６】図１３のＦ−Ｆ部分の断面図である。
【図１７】図１１の斜視図である。
【図１８】図１２の斜視図である。
【図１９】図１３の斜視図である。
【図２０】（Ａ）先端側開口部と基端側開口部を同じ面積にした例である。             （Ｂ）先端側開口部と基端側開口部の位置をずらした例である。
【図２１】（Ｃ）先端側開口部と基端側開口部の形状を、先端側開口部と基端側開口部との間の折り曲げ線へ向かって凸形状となる三角形にした例である。             （Ｄ）突出部を一つだけ設けた例である。
【図２２】（Ｅ）突出部を設けない例である。             （Ｆ）折り曲げ線を斜めに設けるとともに、先端側開口部と基端側開口部の位置をずらした例である。
【図２３】（Ｇ）、（Ｈ）先端側開口部と基端側開口部の個数を増やした例である。
【図２４】（Ｉ）先端側開口部と基端側開口部の形状を、基材シートの先端側から基端側へ向かって凸状の弧状にした例である。             （Ｊ）先端側開口部と基端側開口部の形状を、基材シートの先端側から基端側へ向かって凸状の三角形にした例である。
【発明を実施するための形態】
【００２７】
以下、本発明の一実施形態について、添付図面を参照しながら詳説する。
なお、本発明に係る使い捨ておむつを展開した状態で、着用者に近い側の面を「内面」といい、遠い側の面を「外面」という。また、着用者に近い側を「内面側」といい、遠い側を「外面側」という。さらに、基材シート８に関し、基材シート８を展開した状態で、使い捨ておむつの幅方向外側を「先端側」といい、幅方向中央側を「基端側」という。
【００２８】
（おむつの全体構造）
図１は、本発明に係る使い捨ておむつ２００を示している。この使い捨ておむつ２００は、股間部と、その前後両側に延在する腹側部分Ｆ及び背側部分Ｂとを有するものである。各部の寸法は適宜定めることができる。
【００２９】
本実施例に係るテープ式使い捨ておむつ２００は、外面側にバックシート１を有し、内面側に向かって順に、液不透過性シート１５、吸収体３、トップシート２を積層した構造を有している。なお、図示はしないが、吸収体３とトップシート２の間にセカンドシート１６を設けるようにしても良い。
【００３０】
本発明においては、着用者の肌に最も近い側にあるシートをトップシート２という。このトップシート２は、複数枚の単位シートから構成される。
【００３１】
吸収体３の外側には、液不透過性シート１５が吸収体３の周縁より若干食み出すように設けられている。液不透過性シート１５としては、遮水性を有するものが好ましく、ポリエチレンフィルム等のほか、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００３２】
また、液不透過性シート１５の外面は、不織布からなるバックシート１により覆われており、このバックシート１は、所定の食み出し幅をもって液不透過性シート１５の周縁より外側に食み出している。バックシート１としては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００３３】
前記のように、吸収体３の内面に、セカンドシート１６を設けても良い。セカンドシート１６の側縁から吸収体３が一部食み出すようにセカンドシート１６の幅を設けても良いし、吸収体３の側縁が食み出さないようにセカンドシート１６の幅を広げることもできる。セカンドシート１６としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。本発明においては、このセカンドシート１６を省略する形態も考えることができる。
【００３４】
また、前記おむつの腹側表面には、幅方向に沿ってフロントターゲットテープ６が設けられている。このフロントターゲットテープ６に後述する面ファスナー要素９を止着することによって、おむつが身体に装着される。
【００３５】
（基材シート）
使い捨ておむつ２００の背側方向両端部において、バックシート１とトップシート２の間にファスニング基材シート８が設けられる。この基材シート８とバックシート１やトップシート２は、ホットメルト接着剤等により接着されている。なお、この基材シート８は、必ずしもバックシート１とトップシート２の間に設けなくても良い。具体的には、バックシート１の外面側や、トップシート２の内面側に設けるようにしても良い。
【００３６】
この基材シート８は、ホットメルト接着等によって、基端側がおむつ本体に固着される。そして、基端側から先端側へ向かって延在するように設けられる。
【００３７】
基材シート８は、複数枚の不織布ＮＦを貼り合わせて形成することも、一枚の不織布ＮＦで形成することもできる。この不織布ＮＦとしては公知のものを用いることができる。不織布ＮＦを構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。また、不織布ＮＦの加工方法としては、スパンレース法、スパンボンド法、ＳＭＳ法、サーマルボンド法、メルトブローン法、ニードルパンチ法、エアスルー法、ポイントボンド法等の公知の方法を用いることができる。特にオレフィン系繊維を用いたスパンボンド不織布、ＳＭＳ不織布が好ましい。使用する不織布ＮＦの坪量は適宜定めることができるが、着用者の肌に触れることと、一定の強度が必要になることから、高目付の不織布が望ましく、好ましくは５０〜１００ｇ／ｍ2の坪量を有するのが好ましい。
【００３８】
（突出部）
図２１（Ｄ）に示すように、前記基材シート８の先端側に、外方へ突出する突出部１２を形成しても良い。なお、図２２（Ｅ）に示すように、突出部１２を設けないようにしても良い。前記突出部１２は、基材シート８自体を外方へ突出させることによって形成しても良いし、基材シート８とは別体の部材を用意し、ホットメルト等によって、それを基材シート８と固着することによって形成しても良い。突出部１２を基材シート８とは別体の部材により形成する場合、その素材には不織布や弾性伸縮部材を用いることができる。弾性伸縮部材としては、例えば、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。不織布としては、例えば、前記基材シート８と同様の素材を用いることができる。なお、基材シート８と別体の部材を用いて突出部１２を形成した場合であっても、その突出部１２を基材シート８の一部とみなして、本発明を説明する。
【００３９】
また、図２に示すように、前記突出部１２を上下２段設けるようにしても良い。また、上下３段以上の突出部１２を設けるようにしても良いが、製造の容易性や装着時の便宜性を考慮すると段数は少ないほうが好ましく、上下２段からなるものが好ましい。
【００４０】
（易切り裂き線）
図２に示すように、前記突出部１２と突出部１２の間には、両突出部１２が離間した部分（谷部１３）が形成される。この谷部１３の間の基材シート８には、先端側から基端側へ向かって易切り裂き線１０を形成するのが好ましい。この易切り裂き線１０は、ミシン目であっても良いし、円形や楕円形等の貫通孔を所定の間隔を空けて複数開けたものであっても良い。そして、おむつを着用する際に、この易切り裂き線１０を切り裂き、上下に分かれた基材シート８をクロスさせて、おむつの前側外表面に止める（以下、「クロス止め」という。）ことで、痩せ型の着用者に対してもおむつをフィットさせることができる。なお、易切り裂き線１０の長さは任意に決定することができるが、前記クロス止めをするためには、長いほうが好ましい。
【００４１】
（止着手段）
前記突出部１２の内面、または基材シート８の先端側の内面には、粘着剤層２０や面ファスナー要素９といった止着手段５が設けられる。この粘着剤層２０としては、例えば、ポリアクリル酸エステルを主体としたアクリル系接着剤や、天然ゴムまたは合成ゴムの弾力性成分を主体とした粘着付与剤を主成分として、これに可塑剤、老化防止剤などが配合されているゴム系接着剤などを使用することができる。その他、ホットメルト接着剤なども使用可能である。また、面ファスナー要素９としては、面ファスナーのフック材やループ材を用いることができる。
【００４２】
止着手段５として、面ファスナー要素９を設ける場合においては、おむつの腹側表面に設けたフロントターゲットテープ６と面ファスナー要素９とを脱着可能に止着できるようにする。例えば、突出部１２に設けた面ファスナー要素９をフック材とした場合、フロントターゲットテープ６はループ材とする。また、突出部１２に設けた面ファスナー要素９をループ材とした場合、フロントターゲットテープ６をフック材とする。フック材の突起形状は公知のものを用いることができ、例えば鉤状、きのこ状、錯状を挙げることができる。
【００４３】
なお、後述するように、本発明においては、基材シート８に先端側開口部１１および基端側開口部１８が設けられ、基材シート８を折り畳んだときに、図１０、図１９に示すように、先端側開口部１１および基端側開口部１８の重なり合った開口部から止着手段５の一部が臨むようにする。この重なり合った開口部から臨む止着手段５の係合力を、他の部分の係合力よりも強くすることが好ましい。重なりあった開口部から臨む止着手段５の係合力を強くすることで、仮止め時の止着力が極端に弱くなることを防ぐことができ、仮止めをしている最中に、基材シート８が意図せずに剥がれることを防ぐことができる。
【００４４】
また、面ファスナー要素９とフロントターゲットテープ６との剥離強度は、仮止め時が３０〜３００ｇｆであり、本止め時が３００〜８００ｇｆとなるようにするのが好ましい。仮止め時の剥離強度を前記の範囲内にすることにより、仮止めから本止めに移行する際に、基材シート８を剥離しやすくなる。また、本止め時の剥離強度を前記範囲内にすることにより、本止めをした後に、基材シート８が意図せずに剥がれるのを防ぐことができる。
【００４５】
（先端側開口部、基端側開口部）
図２に示すように、基材シート８には、基材シート８の先端側から基端側へ向かって、先端側開口部１１および基端側開口部１８が設けられる。この先端側開口部１１および基端側開口部１８の数は任意に定めることができるが、基材シート８の折り曲げ回数を基準に決定することが好ましい。例えば、図１０に示すように、基材シート８を２回折り返したときに、重なり合った開口部分から止着手段５を臨むようにするためには、図８に示すように、先端側開口部１１および基端側開口部１８を最低でもそれぞれ１つずつ設ける必要がある。同様に、基材シート８を４回折り返したときに、重なり合った開口部分から止着手段５を臨むようにするためには、図２３（Ｇ）、図２３（Ｈ）に示すように、先端側開口部１１および基端側開口部１８を最低でもそれぞれ２つずつ設ける必要がある。
【００４６】
このとき、基材シート８の先端側から基端側へ向けて開口部を二つ設けた場合、先端側にある開口部を先端側開口部１１といい、基端側にある開口部を基端側開口部１８という。また、基材シート８の先端側から基端側へ向けて開口部を三つ以上設けた場合、基材シート８の先端側に近い開口部を先端側開口部１１といい、基端側に近い開口部を基端側開口部１８という。
【００４７】
この先端側開口部１１および基端側開口部１８は、たとえば基材シート８を打ち抜くことによって形成することができる。この打ち抜き方法は、公知の様々な手法を用いることができる。例えば、金属の刃を指定の形に作り、それを上方から押すことにより打ち抜く金属加工、金属のロールに指定の形にした刃をいくつか取り付け、そのロールを回転させることによって打ち抜くロール加工、レーザーを用いて切断するレーザー加工等を挙げることができる。
【００４８】
また、前記先端側開口部１１および基端側開口部１８を基材シート８に形成する際、開口部の全周を打ち抜くと、打ち抜かれた部分がゴミとなる。そこで、図１７に示すように、開口部の一部を打ち抜き、その打ち抜いた部分を折り曲げるようにしても良い。このようにすることで、ゴミの発生を抑えることができる。
【００４９】
また、先端側開口部１１および基端側開口部１８の形状は、図２１（Ｃ）、図２３（Ｈ）に示すように、基材シート８を折り畳んだときに、基材シート８の先端側へ向かって凸形状となる三角形にすることが好ましい。このような形状にすることで、仮止めした際の止着面積が、基材シート８の先端側ほど狭くなる。その結果、基材シート８の先端側を摘まんで仮止めを剥がす際に、最初に受ける抵抗が小さくなるため、基材シート８を剥がすのが容易となる。
【００５０】
また、先端側開口部１１および基端側開口部１８の形状は、図２に示すように、円形にしてもよい。開口部の形状を多角形状にした場合、各頂点から破れが生じることも考えられるが、円形にすることで、これを防ぐことができる。
【００５１】
また、開口部の一部を打ち抜き、その打ち抜いた部分を折り曲げることにより、開口部を形成する場合において、その打ち抜き形状は、図２４（Ｉ）、図２４（Ｊ）等に示すように、基材シート８の先端側から基端側へ向かって凸状の三角形または弧状とすることが好ましい。前述のとおり、仮止めは、基材シート８を折りたたみ、先端側開口部２１および基端側開口部２２の重なり合った開口部分から臨む止着手段５を用いて行う。このとき、開口部を形成するために折り曲げた部分が、止着手段５に被らないようにするためには、前記のような形状に打ち抜くのが好ましい。
【００５２】
なお、開口部の一部を打ち抜いて、先端側開口部２１、基端側開口部２２を形成するためには、基材シート８を折り曲げる必要がある。その折り曲げ箇所としては、例えば、先端側開口部２１の打ち抜き部分の両端部２５、２５を結ぶ線や、基端側開口部２２の打ち抜き部分の両端部２６、２６を結ぶ線を挙げることができる。しかし、これらの箇所で折り曲げた場合、開口部の数だけ折り曲げなければならず、手間がかかる。そこで、図１１の先端側開口部２１に示すように、開口部の一部を打ち抜いた際の、打ち抜きの先端側端部２５、２６が、基材シート８を折り曲げたときに生じる折り曲げ線１４、１７と接するようにすることが好ましい。または、図１１の基端側開口部２２に示すように、前記打ち抜きの先端側端部２５、２６が、前記折り曲げ線１４、１７を越えて先端側へ延在することが好ましい。打ち抜きの先端側端部２５、２６を折り曲げ線１４、１７まで達するようにすることで、折り曲げ線１４、１７に沿って基材シート８を折り曲げた際に、打ち抜きの内部２３、２４が折り曲げに追従して反転し、開口部２１、２２を形成することができる。そのため、先端側開口部２１の打ち抜き部分の両端部２５、２５を結ぶ線や、基端側開口部２２の打ち抜き部分の両端部２６、２６を結ぶ線を折り曲げる作業が不要となる。
【００５３】
図４、図１３に示すように、本発明においては、仮止めが容易にできるように、製品状態で、基材シート８を予め折り畳んでおくことが好ましい。このとき、折り畳んだ状態が容易に解けないように、それぞれ対面する基材シート８間をホットメルト接着剤等で軽く接着しておくと良い。この場合において、図２に示すように、先端側開口部１１の面積を基端側開口部１８の面積よりも広くすると、図７に示すように、基材シート８の先端側に設けた止着手段５の一部が、先端側開口部１１を通じて、基端側開口部１８の周囲の基材シート８と止着する。そのため、前記ホットメルト接着剤等を用いなくても、折り畳んだ状態を維持することができる。
【００５４】
なお、前記のような効果を期待しないのであれば、先端側開口部１１および基端側開口部１８の面積は、任意に定めることができる。ただし、仮止めをする時に、止着手段５の全面がおむつの腹側外表面に止着することを防ぐため、先端側開口部１１および基端側開口部１８のいずれか一方の面積を、止着手段５の面積よりも狭くすることが好ましい。
【００５５】
また、先端側開口部１１および基端側開口部１８のいずれの面積も、止着手段５の面積より広い場合は、基材シート８の折り曲げ部分に変更を加えて、先端側開口部１１と基端側開口部１８の一部分が重なるようにして、その重なりあった開口部分の面積が、止着手段５の面積より狭くなるようにすれば良い。
【００５６】
また、先端側開口部１１および基端側開口部１８の開口位置も、任意に定めることができる。ただし、基材シート８を折り曲げた際に、各開口部の一部が重なり合うとともに、重なり合ったその開口部分から止着手段５が臨むようにしなければならない。例えば、図２０（Ａ）に示すように、基材シート８の先端側から基端側へ向かって、直線状に並ぶように、止着手段５、先端側開口部１１、基端側開口部１８を設けても良い。また、先端側開口部１１、基端側開口部１８の一部が重なり合い、重なり合った開口部分から止着手段５が臨む状態を形成できるのであれば、図２０（Ｂ）に示すように、基材シート８の先端側から基端側へ向かって、蛇行するように、止着手段５、先端側開口部１１、基端側開口部１８を設けても良い。
【００５７】
基材シート８の折り曲げ部分についても、任意に定めることができる。ただし、この場合も同様に、先端側開口部１１と基端側開口部１８の一部が重なり合うとともに、その重なり合った開口部分から止着手段５が臨む状態が形成されなければならない。よって、必ずしも、基材シート８の先端側から基端側へ向けて伸ばした仮想垂線と垂直方向に折り曲げなくても良く、図２２（Ｆ）の折り曲げ線１７に示すように、必要に応じて斜めに折り曲げても良い。
【００５８】
（仮止め、本止め）
先端側開口部１１および基端側開口部１８を形成した基材シート８は、図９に示すように、その基材シート８の先端部が、止着手段５と先端側開口部１１との間で内側へ折り曲げられる。そして、図１０に示すように、折り曲げられたその基材シート８が、先端側開口部１１と基端側開口部１８との間で外側へさらに折り曲げられる。そうすると、先端側開口部１１および基端側開口部１８の少なくとも一部が重なり合い、その重なり合った開口部分から止着手段５が臨むようになる。本発明においては、このように重なり合った開口部分から臨む止着手段５を介して、前記基材シート８をおむつの腹側外表面に仮止めをすることができるようにした。
【００５９】
このように仮止めを行うことで、着用者の身体に対するおむつの装着位置を大まかに決めることができる。そして、この仮止めをした状態から、基材シート８の先端側を持って引っ張ることで、止着手段５が剥がれるとともに、折り曲げられていた基材シート８が、折り曲げる前の真っ直ぐな状態に戻る。この状態になった基材シート８をおむつの腹側外表面の適切な位置に止着して、本止めを行う。前記の仮止めを経て行った本止めは、基材シート８が適切な位置に止着しているため、おむつが着用者の身体にフィットし、漏れが生じにくい。また、止着手段５の全面を用いて本止めを行うことにより、基材シート８が剥がれにくくなり、装着したおむつが意図せずに外れてしまうことを防ぐことができる。
【００６０】
一般に、止着手段５の全面をおむつの腹側外表面に止着して仮止めを行うと、その後に、止着手段５を剥がすときに強い力を要するという問題がある。しかし、本発明のような構成にすることで、図１０に示すように、止着手段５のうちの開口部から臨まない部分は、基材シート８に覆われているため、おむつの腹側外表面と止着しないこととなる。そのため、止着手段５の全面を用いて仮止めを行った場合よりも、止着手段５を剥がすために要する力が少なくなるという効果がある。
【００６１】
また、前記のように基材シート８を外側へ折り曲げたときには、その折り曲げた部分に折り曲げ線１７が生じやすい。このとき、図１０に示すように、基材シート８の先端が、折り曲げ線１７からはみ出るようにすることが好ましい。基材シート８の先端を前記折り曲げ線１７からはみ出させることで、基材シート８の先端が摘まみやすくなり、仮止めをした状態から、基材シート８の先端側を引っ張り、仮止めを解くのが容易となる。
【００６２】
なお、基材シート８を折り曲げたときに、折り曲げた箇所を押圧しない場合や、押圧する圧力が弱い場合は、基材シート８に折り曲げ線１４、１７が形成されない。本発明において、そのような場合には、折り曲げ線１４、１７が形成される程度の圧力で押圧したと仮定した時に、折り曲げ線１４、１７が生じる位置を基準にして、先端側開口部１１および基端側開口部１８の形成位置の決定等を行う。
【００６３】
（製造方法）
本発明に係る基材シート８の製造において、廃棄部材を減らすために、上下の突出部１２の間の離間部１３の形状と、前記突出部１２の形状とが線対称となるようにするのが好ましい。
【００６４】
そして、この基材シート８の製造過程は、まず、所定の幅の基材シート８を繰出して、中央位置に連続して面ファスナー要素９を接着する。このとき、面ファスナー要素９の代わりに、接着剤層２０を塗布しても良い。そして、前記面ファスナー要素９または接着剤層２０を交互に横切りかつ連続する波状曲線によって切断する。それとともに、各基材シート８に分割するための切断線を入れ、かつ基材シート８毎に所定位置に易切り裂き線１０を入れる。
【００６５】
また、この基材シート８に、先端側開口部１１および基端側開口部１８を設ける。この各開口部は、例えば開口部の全周を打ち抜くことで形成できる。そのほか、ゴミの発生を抑制するために、開口部の一部を打ち抜き、その打ち抜いた部分を折り曲げるようにしても良い。
【００６６】
そして、前記のように製造した基材シート８を、ホットメルト接着等によって、おむつの背側方向両端部に取り付ける。取り付けられた基材シート８の先端部は、止着手段５と先端側開口部１１との間で内側へ折り曲げられ、折り曲げられた基材シート８が、先端側開口部１１と基端側開口部１８との間で外側へさらに折り曲げられる。これにより、先端側開口部１１および基端側開口部１８の少なくとも一部が重なり合い、その重なり合った開口部分から止着手段５が臨むようになる。
【符号の説明】
【００６７】
１…バックシート、２…トップシート、３…吸収体、４…バリヤシート、５…止着手段、６…フロントターゲットテープ、７…糸状弾性伸縮部材、８…基材シート、９…面ファスナー要素、１０…易切り裂き線、１１…先端側開口部、１２…突出部、１３…谷部、１４…折り曲げ線（谷折り）、１５…液不透過性シート、１６…セカンドシート、１７…折り曲げ線（山折り）、１８…基端側開口部、２０…粘着剤層、２１…先端側開口部１１のうち、特に、一部分のみ打ち抜いたもの、２２…基端側開口部１８のうち、特に、一部分のみ打ち抜いたもの、２３…先端側開口部２１（一部分のみ打ち抜いて形成したもの）の打ち抜きの内部、２４…基端側開口部２２（一部分のみ打ち抜いて形成したもの）の打ち抜きの内部、２５…先端側開口部２１（一部分のみ打ち抜いて形成したもの）の端部、２６…基端側開口部２２（一部分のみ打ち抜いて形成したもの）の端部、Ｆ…腹側部分、Ｂ…背側部分、ＥＦ…エンドフラップ部、ＳＦ…サイドフラップ部
【図１】
2014193208.tif 000003
【図２】
2014193208.tif 000004
【図３】
2014193208.tif 000005
【図４】
2014193208.tif 000006
【図５】
2014193208.tif 000007
【図６】
2014193208.tif 000008
【図７】
2014193208.tif 000009
【図８】
2014193208.tif 000010
【図９】
2014193208.tif 000011
【図１０】
2014193208.tif 000012
【図１１】
2014193208.tif 000013
【図１２】
2014193208.tif 000014
【図１３】
2014193208.tif 000015
【図１４】
2014193208.tif 000016
【図１５】
2014193208.tif 000017
【図１６】
2014193208.tif 000018
【図１７】
2014193208.tif 000019
【図１８】
2014193208.tif 000020
【図１９】
2014193208.tif 000021
【図２０】
2014193208.tif 000022
【図２１】
2014193208.tif 000023
【図２２】
2014193208.tif 000024
【図２３】
2014193208.tif 000025
【図２４】
2014193208.tif 000026